【手続補正書】
【提出日】平成18年6月21日(2006.6.21)
【手続補正１】
【補正対象書類名】特許請求の範囲
【補正対象項目名】全文
【補正方法】変更
【補正の内容】
【特許請求の範囲】
【請求項１】
振動低減装置であって、
搭載面を画定するバッフルと、
第１可動アセンブリを有し、前記バッフルに設置された第１変換器であって、前記第１可動アセンブリが少なくとも第１変換器ダイヤフラムを備え、該第１変換器ダイヤフラムの第１側面は直接的に聴取域と音響的に結合され、前記第１変換器ダイヤフラムの第２側面は体積部に結合される、第１変換器と、
第２可動アセンブリを有し、前記バッフルによって画定される搭載面と異なる第２面に搭載される第２変換器であって、前記第２可動アセンブリが少なくとも第２変換器ダイヤフラムを備え、該第２変換器ダイヤフラムの第１側面は前記体積部に結合され、前記第２変換器ダイヤフラムの第２側面は少なくとも１つの音響要素と音響的に結合され、前記少なくとも１つの音響要素は前記聴取域に結合される、第２変換器と、を備え、
前記第２変換器は前記第１変換器に機械的に結合され、前記第1変換器および前記第２変換器は、各々信号入力を受けることが可能であり、該信号入力は前記第１可動アセンブリおよび第２可動アセンブリの運動を引き起こし、前記信号入力の印加によって、前記第１可動アセンブリと第２可動アセンブリの位相のずれた機械的相対運動をもたらす、振動低減装置。
【請求項２】
請求項１記載の装置において、前記第２変換器は前記第１変換器に対して逆の状態で配置され、前記第１変換器によって受けられた信号入力は、前記第２変換器によって受けられた信号入力と同じ相対極性を有する、振動低減装置。
【請求項３】
請求項２記載の装置において、前記第２変換器の駆動構造体は前記第１変換器の駆動構造体と機械的に接続される、振動低減装置。
【請求項４】
請求項１記載の装置において、前記第２変換器は前記第１変換器と同じ相対方位に配置され、前記第１変換器によって受けられた信号入力と前記第２変換器によって受けられた信号入力とは反対の相対極性を有する、振動低減装置。
【請求項５】
請求項１記載の装置において、前記第１および第２変換器は同一型式である、振動低減装置。
【請求項６】
請求項１記載の装置において、前記第１変換器のフレームは前記第２変換器のフレームと機械的に接続される、振動低減装置。
【請求項７】
請求項１記載の装置において、前記第２変換器の駆動構造体は前記第１変換器の駆動構造体と機械的に接続される、振動低減装置。
【請求項８】
請求項１記載の装置において、前記少なくとも１つの音響要素は導管である、振動低減装置。
【請求項９】
請求項８記載の装置において、前記導管はさらに一定の断面積を有する、振動低減装置。
【請求項１０】
請求項８記載の装置において、前記導管はさらに滑らかに変化する断面積を有する、振動低減装置。
【請求項１１】
請求項１記載の装置において、前記少なくとも１つの音響要素は体積部およびポートを備え、前記体積部は前記第２変換器ダイヤフラムの第２側面および前記ポートに音響的に結合され、前記ポートは前記聴取域に音響的に結合される、振動低減装置。
【請求項１２】
請求項１記載の装置において、前記第１可動アセンブリの運動は前記聴取域内に第１音響出力を発生し、前記第２可動アセンブリの運動は第２音響出力を発生し、前記少なくとも１つの音響要素は前記第２音響出力を前記第１音響出力と同位相で前記聴取域に伝送する、振動低減装置。
【請求項１３】
請求項１記載の装置において、前記第１変換器は逆にされた駆動構造体を用いて構成される、振動低減装置。
【請求項１４】
請求項１記載の装置において、前記第２変換器は逆にされた駆動構造体を用いて構成される、振動低減装置。
【請求項１５】
請求項１記載の装置において、前記第１変換器は逆にされた駆動構造体により構成され、前記第２変換器は逆にされた駆動構造体により構成される、振動低減装置。
【請求項１６】
請求項１記載の装置において、さらに、前記第２変換器に結合された第１ローパスフィルタを備え、該第１ローパスフィルタは、前記第２変換器に送られる第１の所定カットオフ周波数を超えるスペクトル成分を制限するように構成される、振動低減装置。
【請求項１７】
請求項１６記載の装置において、さらに、前記第１変換器に結合された第２ローパスフィルタを備え、該第２ローパスフィルタは、前記第１変換器に送られる第２の所定カットオフ周波数を超えるスペクトル成分を制限するように構成される、振動低減装置。
【請求項１８】
請求項１７記載の装置において、前記第１ローパスフィルタの第１の所定カットオフ周波数と前記第２ローパスフィルタの第２の所定カットオフ周波数とは同一である、振動低減装置。
【請求項１９】
請求項１６記載の装置において、前記第１ローパスフィルタは電気回路である、振動低減装置。
【請求項２０】
請求項１６記載の装置において、前記第１ローパスフィルタは音響的ローパスフィルタである、振動低減装置。
【請求項２１】
請求項１６記載の装置において、さらに、前記第１変換器に結合されたオールパスフィルタを備え、該オールパスフィルタは、前記第１ローパスフィルタと相補的である、振動低減装置。
【請求項２２】
請求項１記載の装置において、前記搭載面は前記第２面と実質上平行である、振動低減装置。
【請求項２３】
請求項１記載の装置において、さらに、前記第１変換器および第２変換器に取り付けられた剛性の接続部材を備える、振動低減装置。
【請求項２４】
ラウドスピーカ・システムであって、
聴取域に隣接するバッフルと、電気信号源と、第１軸に沿って可動のダイヤフラムを有する第１変換器とを備え、前記第１変換器が前記バッフルに機械的に接続され、前記ダイヤフラムの第１側面が直接的に前記聴取域と音響的に結合され、
質量を有する第２変換器を備え、前記質量が第２軸に沿って可動であり、該第２軸が前記第１軸と類似しており、前記第１変換器と前記第２変換器は構造上結合されており、
前記電気信号源が前記第１変換器および前記第２変換器に電気的に結合されるとき、前記第１ダイヤフラムおよび前記質量は反対の位相で動かされ、それにより前記第１変換器および前記第２変換器によって前記バッフルに加えられる全体の力を低減させる、ラウドスピーカ・システム。
【請求項２５】
振動低減装置であって、
搭載面を画定するバッフルと、
少なくとも第１変換器ダイヤフラムを備える第１可動アセンブリを有し、前記バッフルに設置された第１変換器であって、前記第１変換器ダイヤフラムは２つの側面を有し、前記第１変換器ダイヤフラムの第１側面は直接的に聴取域と音響的に結合され、前記第１変換器ダイヤフラムの第２側面は第１体積部に結合される、第１変換器と、
前記バッフルによって画定される面と異なる第２面に搭載され、可動質量によって特徴づけられる第２可動アセンブリを有する第２変換器であって、前記聴取域に音響的に結合される第２変換器と、を備え、
前記第２変換器は前記第１変換器に機械的に結合され、前記第1変換器および前記第２変換器は、前記第１可動アセンブリおよび第２可動アセンブリの運動を引き起こす信号入力を受けることが可能であり、前記信号入力を受けることによって、前記第１可動アセンブリと第２可動アセンブリの位相のずれた機械的相対運動をもたらす、振動低減装置。
【請求項２６】
請求項２５記載の装置において、前記第１変換器の可動質量および駆動力は前記第２変換器の可動質量および駆動力と等価である、振動低減装置。
【請求項２７】
振動低減装置であって、
搭載面を画定するバッフルと、
少なくとも第１変換器ダイヤフラムを備える第１可動アセンブリを有し、前記バッフルに設置された第１変換器であって、前記第１変換器ダイヤフラムの第１側面は直接的に聴取域と音響的に結合され、前記第１変換器ダイヤフラムの第２側面は第１体積部に結合される、第１変換器と、
前記バッフルによって画定される前記搭載面と異なる第２面に搭載され、少なくとも第２変換器ダイヤフラムを備える第２可動アセンブリを有する第２変換器であって、前記第２変換器ダイヤフラムの第１側面は第２体積部に結合され、前記第２変換器ダイヤフラムの第２側面は少なくとも１つの音響要素と音響的に結合され、前記少なくとも１つの音響要素はさらに前記聴取域に結合される、第２変換器と、を備え、
前記第２変換器は前記第１変換器に機械的に結合され、前記第1変換器および前記第２変換器は、各々前記第１可動アセンブリおよび第２可動アセンブリの運動を引き起こす信号入力を受けることが可能であり、前記信号入力を受けることによって、前記第１可動アセンブリと第２可動アセンブリの位相のずれた機械的相対運動をもたらす、振動低減装置。
【請求項２８】
振動低減装置であって、
搭載面を画定するバッフルと、
少なくとも第１変換器ダイヤフラムを備える第１可動要素を有し、前記バッフルに設置された第１変換器であって、前記第１変換器ダイヤフラムの第１側面は直接的に聴取域と音響的に結合され、前記第１変換器ダイヤフラムの第２側面は体積部に結合される、第１変換器と、
前記バッフルによって画定される前記搭載面と異なる第２面に搭載され、少なくとも第２変換器ダイヤフラムを備える第２可動要素を有する第２変換器であって、前記第２変換器ダイヤフラムの第１側面は前記体積部に結合され、前記第２変換器ダイヤフラムの第２側面は間接的に前記聴取域と音響的に結合される、第２変換器と、を備え、
前記第２変換器は前記第１変換器に機械的に結合され、前記第1変換器および前記第２変換器は、各々前記第１可動要素および第２可動要素の運動を引き起こす信号入力を受けることが可能であり、前記信号入力を受けることによって、前記第１可動要素と第２可動要素の位相のずれた機械的相対運動をもたらす、振動低減装置。
【請求項２９】
請求項２８記載の装置において、前記第１可動要素の質量は前記第２可動要素の質量と実質上同一である、振動低減装置。
【手続補正２】
【補正対象書類名】明細書
【補正対象項目名】０００７
【補正方法】変更
【補正の内容】
【０００７】
第２の変換器は同一の変換器である必要はない。振動の大幅な低減に必要なのは、第２の変換器の可動質量と発生される駆動力が、第１の変換器の可動質量と発生される駆動力とほぼ等しいことである。このような構成要素は、第１の変換器と同一の変換器より低いコストで製造することができる。しかし、第１の変換器がバッフルに取り付けられるのと同じ取り付け点で第２の変換器を第１の変換器に取り付けることができるように、２つの変換器のフレームは同様のものであることが望ましい。組み立ての代替的な手段は、第１のドライバ１２の駆動構造体の上部を第２のドライバ１３の駆動構造体の背面に、金属製のねじ状ロッド等の剛性の接続部材１９（図１Ａに点線で示す）を用いて固定することである。
【手続補正３】
【補正対象書類名】明細書
【補正対象項目名】００１５
【補正方法】変更
【補正の内容】
【００１５】
図２を参照すると、種々の構造について、周波数の関数としてのバッフルに加わる力のグラフが示されている。曲線２１は、ローパスフィルタを有する音響システムにおいて、本願発明に基づいてBoseの８インチＮｄドライバを２つ用いた結果の応答を示す。曲線２２は、ローパスフィルタとともに８インチＮｄドライバを１つだけ用いた場合に加わる力を示す。曲線２３は、ローパスフィルタなしで、本発明に従って接続された８インチＮｄラウドスピーカドライバを２つだけ用いた場合に加わる力を示す。曲線２４は、８インチＮｄラウドスピーカドライバを１つだけ用いた場合に加わる力を示す。これらのグラフは、バッフルに加えられた力が本発明を用いて大幅に低減されること、およびシステムにローパスフィルタを組み込むことの利点を示している。
【手続補正４】
【補正対象書類名】明細書
【補正対象項目名】００１７
【補正方法】変更
【補正の内容】
【００１７】
図４は、代替的な構成の変換器を用いる本発明の利用例を示す。図４は、変換器１２および１３の駆動構造体に対して反転された駆動構造体を用いて、物理的に相互に反転した変換器３２および３３を示す。変換器３２および３３は、それぞれダイヤフラム４１および４２を有している。反転駆動構造体の変換器の使用は、図示する向きに限定されない。非反転駆動変換器について説明した前述の構成はいずれも、反転駆動構造体を有する変換器にも適用可能である。本発明の反転駆動構造変換器の使用により、複数の変換器アセンブリの厚さ全体を大幅に低減させることができ、これにより、車両のトランク内のアセンブリの割り込み（進入）が減る、すなわち、従来の変換器を用いた構成では収まらない壁空間内にシステムが収まることが可能になる。また、機械的リンク１４は、反転駆動構造体ではない変換器を用いた実施形態において、図１に示すリンク１４よりもはるかに薄くすることができることが注目される。
【手続補正５】
【補正対象書類名】図面
【補正対象項目名】全図
【補正方法】変更
【補正の内容】
【図１】
2004135303.tif 000001
【図２】
2004135303.tif 000002
【図３】
2004135303.tif 000003
【図４】
2004135303.tif 000004